(57)【要約】【課題】  ドライフラワでありながら立体的に表現することで斬新なデザインとなり、しかも、特にコサージやネックレス等の身飾品に適用しても壊れにくい装飾品または身飾品を提供できるようにする。【解決手段】  厚み０．２ｍｍ程度の厚みの鉛の金属箔２の表面に接着剤３を塗布し、この接着剤３の上から生の花４全体を開いた状態、または一枚に分離した花びら等６を押し付けて貼り付け、花４全体の場合は、花びらの重なり合った部分にも接着剤と塗布して花びら同士を貼り付ける。その後、花４の外周付近に沿って切断し、切断した金属箔２と一体の花４にウエーブをかけて立体感をだす。必要に応じて切断した周縁部に塗料により色彩を施し、また必要に応じて裏側の金属箔２にも塗料にて色彩を施す。【選択図】      図１
2008265211.tif 000002
【特許請求の範囲】
【請求項１】
厚み５〜０．１ｍｍの金属箔表面に接着剤を薄くのばして塗布する工程と、塗布した接着剤の上から生の花全体を開いた状態で押し付けて貼り付ける工程と、必要に応じて花びらの重なり合った部分に接着剤を塗布して重なり部分を貼り付ける工程と、花の外周或いは少し内側に入り込んだ部分に沿って金属箔ごと切断する工程と、切断した金属箔と一体の花にウエーブをつけて立体感をだす工程と、この立体感をだした花を使用して装飾品または身飾品を作製する工程とを備えたことを特徴とする装飾品または身飾品の製造方法。
【請求項２】
厚み５〜０．１ｍｍの金属箔表面に接着剤を薄くのばして塗布する工程と、塗布した接着剤の上から生の花を分離した一枚の花びら、または一枚の生の葉を押し付けて貼り付ける工程と、花びら、または葉の外周或いは少し内側に入り込んだ部分に沿って金属箔ごと切断する工程と、前記切断した花びら、または葉の裏側の金属箔にワイヤを取り付ける工程と、ワイヤを取り付けた花びら、または葉を使用して装飾品または身飾品を作製する工程とを備えたことを特徴とする装飾品または身飾品の製造方法。
【請求項３】
前記花全体、または一枚の花びら、または一枚の葉の外周或いは少し内側に入り込んだ部分に沿って金属箔ごと切断した後、切断部周辺の周縁部に所望の色の塗料を塗布することを特徴とする請求項１又は請求項２に記載の装飾品または身飾品の製造方法。
【請求項４】
前記金属箔の裏面に塗料にて所望の色彩を施すことを特徴とする請求項１乃至請求項３のいずれか１項に記載の装飾品または身飾品の製造方法。
【請求項５】
前記花全体、または一枚の花びら、または一枚の葉が乾燥してドライになった時点で、花等の上から退色防止剤を塗布することを特徴とする請求項１乃至請求項４のいずれか１項に記載の装飾品または身飾品の製造方法。
【請求項６】
請求項１乃至請求項５のいずれか１項に記載の方法により製造した装飾品または身飾品。
【発明の詳細な説明】
【技術分野】
【０００１】
本発明は、例えばドライフラワを使用したコサージやネックレス等の身飾品やブーケや花かごや装飾額等の装飾品において、装飾物に立体感を持たせ、また装飾物に強度を持たせる技術に関する。
【背景技術】
【０００２】
押し花等のドライフラワは、一般的に平面的な拡がりを有するものの立体感には乏しいため、これをブーケやコサージやネックレス等の装飾品や身飾品に適用しようとしても斬新なデザインにするのは困難であった。
このため、従来では、紙粘土等を使用して生植物のふくらみに近い立体性を持たせた押し花を作成し、押し花が出来上がり後、紙粘土等を外すとともに、ワイヤを利用して任意の形に変形できるようにした装飾品の作製技術（例えば、特許文献１参照。）や、プリザーブドフラワーアレンジメントのように、専用の溶液等を用いて花全体を切花のような状態でドライ化するような技術が知られている。
【特許文献１】特開平１０−１８１３００号公報
【発明の開示】
【発明が解決しようとする課題】
【０００３】
ところが、従来の技術の場合、押し花やプリザーブドフラワー等のドライフラワはそれ自体が脆弱であり、花びらに少しの衝撃を与えたり、接触したりするだけで破損しやすいため、例えば室内に飾っておくような装飾品には適用できるものの、コサージやネックレス等の身飾品に適用するには壊れ易くて無理があった。
また、プリザーブドフラワーの場合は、ドライ化できる花の種類に制約があった。
【０００４】
そこで本発明は、プリザーブドフラワーでは作製できない種類の花でも立体的にドライフラワ化することで斬新なデザインとなり、しかも、特にコサージやネックレス等の身飾品に適用しても壊れにくい装飾品または身飾品を提供できるようにすることを目的とする。
【課題を解決するための手段】
【０００５】
上記目的を達成するため本発明は、厚み５〜０．１ｍｍの金属箔表面に接着剤を薄くのばして塗布した後、塗布した接着剤の上から生の花全体を開いた状態で押し付けて貼り付け、必要に応じて花びらの重なり合った部分にも接着剤を塗布して重なり部分を貼り付けるとともに、花の外周或いは少し内側に入り込んだ部分に沿って金属箔ごと切断し、その後、切断した金属箔と一体の花にウエーブをつけて立体感をだし、この立体感のある花を使用して装飾品または身飾品を作製するようにした。
【０００６】
このような装飾品または身飾品は、花全体と金属箔が一体化された状態で立体化されているため、斬新なデザインの装飾品に仕上がるとともに、花びらが何かに接触しても簡単に形が崩れたり壊れたりすることがなく、特に身飾品には適している。
ここで、金属箔の素材は任意であり、例えば鉛箔や、銅箔や、アルミ箔や、金箔や、銀箔等が適用可能であるが、変形や切断等の細工がしやすく、また変形した後は保形能力の高い素材が好ましい。このため、特に鉛箔等が細工しやすくてしかも安価なため好適である。また一般的に厚みが厚くなるに連れて重厚感が増すが、５ｍｍを超えると、変形しにくくなると同時に重くなり、逆に、０．１ｍｍ未満であると保形力が低下するため、厚みは５〜０．１ｍｍの範囲とする。この際、身飾品として一番適しているのは、細工の容易さの面や重さの面等から０．２ｍｍ程度である。
【０００７】
また、花の種類も任意であるが、花全体を金属箔に貼り付けるため、平面的に開き易いパンジーとかビオラとかポピー等が好ましい。そして、花びらに重なり部分の生じる花については、花びら同士も貼り付けるようにする。
また、金属箔に生の花を貼り付けてドライ化するため、例えば、花が完全に乾く前に変形させれば、自由な形に容易に変形する。これに対して、例えば押し花等にして完全に乾燥させたドライフラワを金属箔に貼り付ける場合、ウエーブをつけて変形させようとすると、花が破損し易い。
【０００８】
また本発明では、厚み５〜０．１ｍｍの金属箔表面に接着剤を薄くのばして塗布した後、塗布した接着剤の上から生の花を分離した一枚の花びら、または一枚の生の葉を押し付けて貼り付け、花びら、または葉の外周或いは少し内側に入り込んだ部分に沿って金属箔ごと切断するとともに、切断した花びら、または葉の裏側の金属箔にワイヤを取り付け、ワイヤを取り付けた花びら、または葉を使用して装飾品または身飾品を作製するようにした。
【０００９】
この場合も、花びらや葉と金属箔とが一体化されているため、何かに接触しても簡単に形が崩れたり壊れたりすることがなく、また、立体的に表現された斬新なデザインが可能なため、身飾品にも適用可能である。また、分離した花びらをワイヤで纏めて元の花とは異なった新たなデザインの花を表現できるため、創作性に富んだ表現が可能である。
また、花びらを一枚づつ分離して貼り付けてドライ化するため、特に平面的に開きにくい花等についても表現できるようになる。
【００１０】
また本発明では、前記花全体、または一枚の花びら、または一枚の葉の外周或いは少し内側に入り込んだ部分に沿って金属箔ごと切断した後、切断部周辺の周縁部に所望の色の塗料を塗布するようにした。
このように切断部周辺の周縁部に所望の色の塗料を塗布すれば、例えば金属箔の色彩と花の色彩とが大きく異なるような場合でも、違和感をなくして外観性を良好に仕上げることができる。
この際、塗料としては、例えば油性の絵の具や、ラッカー等の任意の塗料を使用することができる。
【００１１】
また本発明では、前記金属箔の裏面に塗料にて所望の色彩を施すようにした。
この場合も、金属箔の色彩と花の色彩が異なるような場合に目立たなくすることができ、外観性を良好にできる。
【００１２】
また本発明では、前記花全体、または一枚の花びら、または一枚の葉が乾燥してドライになった時点で、花の上から退色防止剤を塗布するようにした。
このように退色防止剤を塗布することで、身飾品や装飾品を長持ちさせることができる。
ここで、退色防止剤としては、例えば床塗り用の透明な液状ワックスや、透明なマニキュア液等が使用可能である。
【発明の効果】
【００１３】
所定の厚みの金属箔に花全体や一枚の花びら等を貼り付けて一体化すると同時にウエーブをつけて立体化したドライフラワを作製し、これを身飾品や装飾品に適用することで、従来にない斬新なデザインの身飾品や装飾品が製造できる。
そして、必要に応じて、金属箔の切断部周辺の周縁部や、裏側の金属箔に所望の色の塗料を塗布すれば、違和感がなくなって見た目が良好となり、また、ドライとなった花の上から退色防止剤を塗布すれば、色落ちすることなく、長持ちさせることができる。
【発明を実施するための最良の形態】
【００１４】
本発明の実施の形態について添付した図面に基づき説明する。
ここで図１は本発明に係る装飾品または身飾品の製造方法の第１実施例を示す説明図、図２は装飾品または身飾品の製造方法の第２実施例を示す説明図、図３は出来上がった装飾品の一例を示す説明図、図４は出来上がった身飾品の一例を示す説明図である。
【００１５】
本発明に係る装飾品または身飾品の製造技術は、ドライフラワでありながら立体的に表現することで斬新なデザインで、しかも、特にコサージやネックレス等の身飾品に適用しても壊れにくい装飾品または身飾品を提供できるようにされ、所定厚みの金属箔を使用することを特徴としている。
【００１６】
すなわち、本発明に係る装飾品または身飾品の製造方法の第１実施例は、まず厚み５〜０．１ｍｍの金属箔を準備する。この金属箔は、変形や切断等の細工がし易く、且つ変形した後は形が保持されやすい素材であれば任意の素材を使用することができ、例えば鉛箔や銅箔や銀箔や金箔等が使用できるが、本実施例では安価で且つ変形や切断等の細工が容易な鉛の金属箔を使用し、厚みを０．２ｍｍ程度にしている。
因みに、市販のアルミホイル（厚み２０ミクロン程度）を使用したところ、保形力が不足して適していないことが判ったが、複数枚を貼り合せて０．１ｍｍ以上にすると、細工の面からも、保形の面からも良好となった。なお、厚み０．２ｍｍ程度の鉛箔は細工がしやすく、また身に付ける場合も適度な重さである。
【００１７】
そして、この金属箔２の表面に、図１（ａ）に示すように、接着剤３を薄くのばして塗布し、この塗布した接着剤３の上から、図１（ｂ）に示すように、生の花４全体を開いた状態で押し付けて貼り付ける。
この際、接着剤３の種類等は任意であるが、乾くと透明になるような接着剤が好ましく、本実施例では、色調が透明で硬化後も透明な工作用ボンドを使用している。
【００１８】
そして、接着剤３に接触する花４の部分が万遍なく金属箔２に貼り付くように押し付けた後、花びらが重なり合う花の場合は、花びらが重なり合った部分の間にも接着剤３を塗布し、重なり合った部分同士を貼り付けるとともに、必要に応じて金属箔２を変形させて立体感を与えた後、乾燥させる。勿論、花の種類によって花びらの重なり部分が生じない場合は、重なり部分を貼り合せる工程は不要である。
なお、金属箔２に花がしっかり貼り付いてなく部分的に貼り付いている場合や、花びらの重なり合う部分同士がしっかり貼り付いていない場合などには、接着剤３が乾いた後、変形させようとした場合に、貼り付いていない部分が破れたり、破損したりする恐れがある。
【００１９】
そして、花４が乾燥してドライ状態になった後、図１（ｃ）に示すように、花４の外周、または外周から内側に若干入り込んだ部分に沿って金属箔２ごと切断する。
そして、切断した金属箔２と一体の花４のうち、例えば花びらが重なり合う部分等に必要に応じて若干の切り込みを入れたり、ウエーブをつけたりして立体感を出す。
【００２０】
そして、必要に応じて切断部周辺の金属箔２や花４の周縁部に塗料で色を塗って装飾単体５とし、例えば上記要領で作製した装飾単体５を複数集めてアレンジし、図３に示すような室内等飾り用のブーケや花かごや立体額等の装飾品１Ａに仕上げたり、必要に応じて裏側に安全ピンなどを取付けて、図４に示すようなブーケやネックレス等の身飾品１Ｂに仕上げたりする。
なお、切断部の周縁部に色を塗る場合、花４や金属箔２と同色系の色を塗っても良いが、花４や金属箔２とは全く異なる色を塗ってもよい。
この際、切断部周辺の金属箔２や花４の周縁部に塗布する塗料としては、油性絵の具やラッカー等の任意の塗料を使用できるが、本実施例では油性絵の具を使用している。
【００２１】
なお、上記のような方法では、装飾単体５のウエーブのかけ方や変形のやり方によって、花４の裏側の金属箔２の色が見えることがあり、この際、一目で金属であることが判るような場合には見栄えが悪くなるため、本実施例では、金属箔２の裏側にも塗料で色彩を施すことにより、金属であることが判らないようにしている。
【００２２】
この場合、色彩を施す時期は任意であるが、本実施例では、装飾体単体５を切り出した後、塗料を塗るのは作業がやや難しくなることから、接着剤３を塗布する前の段階に、金属箔２の裏面全体に塗布しておくようにしている。
この際、塗料の種類は任意であるが、本実施例では油性絵の具かラッカーを使用するようにしている。
【００２３】
また、本実施例では、ドライになった花４が時間の経過とともに、退色するのを防止するため、ドライになった花４の表面に、透明なマニキュア、または床磨き用の透明液体ワックスを塗布し、色落ちの防止や耐久性の向上などを図っている。
【００２４】
以上のような要領により、従来にない斬新なデザインの装飾品１Ａまたは身飾品１Ｂが作製された。そして、特に、コサージやネックレス等の身飾品に適用する場合は、花びら等が何かに触っても、破れたり壊れたりしないため、好適である。
なお、金属箔２の厚みを厚くすると重厚感が増して高級感が醸し出されるため、例えば室内装飾品とか、インテリア用品等の場合は、厚めの金属箔２を使用するとよい。
【００２５】
次に、本発明に係る装飾品または身飾品の製造方法の第２実施例について説明する。
まず第１実施例と同じく、厚み５〜０．１ｍｍの金属箔を準備する。この金属箔の種類などは第１実施例の場合と同様任意であり、本実施例では鉛の金属箔を使用し、厚みを０．２ｍｍ程度にしている。
【００２６】
そして、この金属箔２の表面に、図２（ａ）に示すように、接着剤３を薄くのばして塗布し、この塗布した接着剤３の上から、図２（ｂ）に示すように、生の花から分離した一枚の花びら６または生の葉（不図示）を別々に押し付けて貼り付ける。
この際、接着剤３の種類等も第１実施例の場合と同様任意であるが、本実施例では、色調が透明で硬化後も透明な工作用ボンドを使用している。
【００２７】
そして、接着剤３に接触する花びら等６が万遍なく金属箔２に貼り付くように押し付けた後、必要に応じて金属箔２を変形させ、花びら等６が乾燥してドライ状態になった時点で、花びら等６の外周、または外周から少し内側に入り込んだ部分に沿って金属箔２ごと切断する。
【００２８】
そして切断が終えると、図２（ｃ）に示すように、花びら等６と一体の金属箔２を裏返して、図２（ｄ）に示すように、裏側の金属箔２に二つ折りにしたワイヤ７を接着剤等で固着し、また、必要に応じて切断部周辺の金属箔２や花びら等６の周縁部に塗料で色を塗ると同時に、ウエーブをつけてユニット部品８とし、複数のユニット部品８で一つの装飾単体５を作製する。
すなわち、図２（ｅ）に示すように、複数のユニット部品８の裏側のワイヤ７を集めて一体化し、一つの花を表現する。
勿論、前記ワイヤ７を金属箔２に固着する際のワイヤ７の形態は任意であり、二つ折りの形態に限定されるものではない。
そして、装飾単位５を複数集めてアレンジし、図３に示すような室内等飾り用の装飾品１Ａや、図４に示すようなブーケ等の身飾品１Ｂに仕上げる。
【００２９】
なお、裏側の金属箔２に塗料を塗ったり、ドライになった花びら等６の表面に退色防止剤を塗布したり、適した塗料や退色防止剤については、実施例１の場合と同様である。
そして、この第２実施例の場合、花全体を平面的に開いてドライ化するのが困難な花や、花びらの重なり部分が多い八重咲きの花等に適用すれば好適である。
【００３０】
以上のような要領により、プリザーブドフラワー等ではドライフラワ化が困難な花が立体的に表現されるため、従来にない斬新的で人の目を引く装飾品や身飾品を製造することができ、また、花４や花びら６や葉が金属箔２で補強されているため、特に身飾品に適用することも可能となった。
【００３１】
なお、本発明は以上のような実施形態に限定されるものではない。本発明の特許請求の範囲に記載した事項と実質的に同一の構成を有し、同一の作用効果を奏するものは本発明の技術的範囲に属する。
例えば、金属箔２の種類や、装飾品１Ａ、身飾品１Ｂの種類等は任意である。
【産業上の利用可能性】
【００３２】
ドライフラワを使用した装飾品または身飾品において、立体的に表現できるため斬新なデザイン化が図れるとともに、花や花びら等に強度を持たせることができるので、特にブーケやネックレス等の身飾品にも適用しても壊れにくくすることができる。
【図面の簡単な説明】
【００３３】
【図１】本発明に係る装飾品または身飾品の製造方法の第１実施例を示す説明図
【図２】装飾品または身飾品の製造方法の第２実施例を示す説明図
【図３】出来上がった装飾品の一例を示す説明図
【図４】出来上がった身飾品の一例を示す説明図
【符号の説明】
【００３４】
１Ａ…装飾品、１Ｂ…身飾品、２…金属箔、３…接着剤、４…花、６…花びら、７…ワイヤ。
【図１】
2008265211.tif 000003
【図２】
2008265211.tif 000004
【図３】
2008265211.tif 000005
【図４】
2008265211.tif 000006